(57)【特許請求の範囲】
【請求項１】
火災の発生による煙感知器４８が作動すると制御回路５０によりスイッチ５１とカム５２を当接させて、乗りかご３を中間階に運転させ、上記運転終了後に離間する第２のスイッチ５４とカム５３により、運転停止させるものにおいて、
運転休止時に、中間階の不動部位に左右に分割して設けたコ字形状の枠７、８により構成した四角形状の枠１１と、昇降路の動作部位である乗りかご３の上方に設けた枠１７、２１、２２とのレベルを合わせ、
上記不動部位の四角形状の枠１１上に起立状態に回動可能に設けられ、防火戸制御回路５５の動作により、上記乗りかご３の上方に設けた前後の枠１７、２１、２２上に転倒する防火戸４０、４１、４２、４３と、
上記乗りかご３の上方に設けた枠１７、２１、２２上に起立状態に回動可能に設けられ、防火戸制御回路５５の動作により、上記不動部位の四角形状の枠１１、及び乗りかご３の上方に設けた１７、２１、２２上に転倒することにより乗りかご回りを密閉封止する防火戸３７、３８、３９と、
２本のガバナロープ３６、３６回りであって、上記不動部位の四角形状の枠１１上に設けられ、先端からロープ穴３１へとピッチＰの間隔で割り込み溝３１ａが設けられ、防火戸制御回路５５の動作により転倒し、上記割り込み溝３１ａから割り込ませてロープ穴３１へロープを包含させて、２本のガバナロープ３６、３６回りを密閉封止する防火戸４０と、
乗りかご３の上方に設けた枠１７、２１、２２のうち、ロープを囲むように設けた四角形状の枠１７、１７上に設けられ、ロープ３４回りを密閉封止する防火壁３２と、
上記ロープ防火壁３２の左右に設けられ、レール５、５に対し突出するように起立状態に回動自在に設けられ、防火戸制御回路５５の動作により、レール５、５に面当てさせてレール回りを密閉封止するレールガイド封止部材４５、４５と、
中間階のつり合いおもり４回りには、つり合いおもり用レール５、５の不動部位に設けた枠９、１０により構成した四角形状の枠１２を設け、上記四角形状の枠１２上に、起立状態に回転可能に設けられ、防火戸制御回路５５の動作により、上記四角形状の枠１２上に転倒することにより、つり合いおもり回りの不動部位と動作部位の隙間を密閉封止する防火戸１８、１９とを設け、
昇降路内の不動部位と動作部位の隙間を上記防火戸により完全に密閉封止されたことを検出すると、防火戸制御回路５５で泡消火制御回路５６を動作させることにより、昇降路内の各階出入口の隙間を煙密閉封止するようにして成る昇降路煙密閉封止装置。
【発明の詳細な説明】
【０００１】
【発明の属する技術分野】
本発明は、ビル火災において、昇降路に流入した煙が上層階へ拡散することを防止するに好適な昇降路煙密閉封止装置。
【０００２】
【従来の技術】
従来の昇降路煙密閉装置は、火災発生時、乗りかごを運転休止させた後、防火戸起動手段（安全板止３）により起立転倒式の防火戸により昇降路を密閉封止させ、レール回りおよびロープ回りを密閉させる昇降路煙密閉装置が記載されている。（例えば、特許文献１を参照）。
火災発生時、乗りかごを最上階に運転休止させる。（例えば、特許文献２を参照）。
蛇腹式の昇降路封止手段が記載されている。（例えば、特許文献３参照）。
（特に、第１２−１３図参照）。
昇降路の各階出入口の隙間を泡により煙密閉封止させる点が記載されている。（例えば、特許文献４参照）。
ここで、特許文献１に記載された発明において、防火戸起動手段として、電磁石や電動機を採用すること、また、ロープ回りを密閉するために、ロープ防火壁のロープソケットおよび防火戸の先端中央部のロープソケットを用いるものとすること、さらに、レール回りを密閉する際に、レール回りを密閉する際に、レールガイド封止部材を用いることは、当業者が適宜になし得る設計変更にすぎない。また、特許文献４に記載された発明において、泡により煙密閉封止させる際に、電磁弁により作動させる泡放射ノズルとパイプシャワーを採用するものとすることは、当業者が適宜になし得る設計変更にすぎない。そして、特居文献１に記載された発明において、同じエレベータの技術分野における上記特許文献２−４に記載された点を援用するものとすることは、当業者が容易に想到し得たことである。また、その際、上記防火戸の一部を、引き戸式とすること、泡により密閉する際には、当業者が適宜なし得る設計的事項に過ぎない。
【特許文献１】
特開平１０−４５３４６号  公報
【特許文献２】
特開平５−３１９７２１号  公報
【特許文献３】
特開平８−１３３６１７号  公報
【特許文献４】
特開００２−３８８３６号  公報
前記したような昇降路煙密閉封止装置の煙密閉封止手段を設けたものが提案されている。
【０００３】
【発明が解決しようとする課題】
上記、従来技術において煙が多いとき、風船を膨張させた風船、エアバックだけでは、どうしても煙が通過し煙を完全に遮断できないという課題を解決する。
本発明は上記の欠点に鑑みて、煙の量が多くても、煙が上方へ流入することを阻止する各階ごとに密閉させる昇降路煙密閉封止装置を提供するものである。
【０００４】
【課題を解決するための手段】
火災の発生による煙感知器が作動すると制御回路により乗りかごを中間階に運転休止させるものにスイッチとカムを当接させるものにおいて、第２のスイッチとカムが当接することにより、反転運転させたつり合いおもりが運転休止すると、中間階の乗りかご回りとつり合いおもり回りの不動部位に設けた四角形状の枠と、乗りかご内の枠とのレベルを合わせ、乗りかごが運転休止すると、防火戸制御回路が動作で、不動部位の四角形状の左側と前後の枠上に設けた起立状態にした防火戸は、乗りかご内の左側と前後の枠上に転倒して、乗りかごの前後に２枚づつの防火戸で乗りかご内を閉鎖し、乗りかごの右側で前後に２枚の防火戸を、不動部位の四角形状の右側の枠上にそれぞれ転倒させ、乗りかご回りを密閉封止させたから、昇降路の乗りかごとつり合いおもりの不動部位に枠を設け、枠上に防火戸を起立状態に設け、動作部位の乗りかご内に枠を設け、枠上に防火戸を起立状態に設けて乗りかごとつり合いおもりを上下動可能にして、四角形状の枠上の防火戸を転倒させ、不動部位と動作部位の隙間を密閉封止させ、且つ、２本のガバナロープには、不動部位の四角形状の左側で前方の１枚の防火戸により、防火戸制御回路の動作で、転倒する防火戸先端の中央で、ロープ穴へ割り込ませて包含させ、ガバナロープ回りを密閉封止させ乗りかごの上方の２本の枠に囲まれたロープ防火壁の左右に、両レールに対し突出するように起立状態に回転軸で回動自在に乗りかごの両測端に枢着され、突出するように起立状態に転倒レールガイド封止部材は、防火戸制御装置の動作で、転倒レールガイド封止部材は転倒して転倒レールガイド封止部材を両レールに面当てさせ、両レール回りを密閉封止し、当該ロープ防火壁でロープ回りを密閉封止し、乗りかご回りの不動部位と動作部位の隙間を密閉封止し、中間階のつり合いおもりにおいては、右側のレールの裏側の不動部位に四角形状の枠を設け、四角形状の左右の枠上に、防火戸を起立状態に設けたから、防火戸制御回路の動作で、四角形状の枠上に転倒する２枚の防火戸で不動部位と動作部位の隙間を密閉封止し、つり合いおもり回りを密閉封止させたから、昇降路に流入する煙が上層階に拡散することを防止し、昇降路を密閉封止させて煙突作用を解消して、火災の炎症を防止する。
昇降路の不動部位と動作部位の隙間を完全に密閉封止したと検出すると、防火戸制御回路で泡消火制御回路を動作させるようにしたから更に即効の延焼防止の解決する手段を有する。
【０００５】
【実施例】
本発明について図を参照して説明すると、１は乗りかご３とつり合いおもり４の位置にする中間階に設けた防火戸であり、中間階の防火戸１の下方に乗りかご３が位置し、上方につり合いおもり４が位置している。昇降路内の不動部分位置と乗りかご３とつり合いおもり４の動作部分位置とに分けたところに特徴が有り、今後は不動部分位置を不動部位と、又、動作部分位置を動作部位とする。
昇降路内の不動部位と乗りかご３とつり合いおもり４の動作部位とに分け、防火戸取付枠を不動部位と動作部位に分けて設け、乗りかご３とつり合いおもり４を上下動可能にしている。
図３から解るように昇降路壁と左側の防火壁１３、６２でコ字形状の枠７を取着し、レール５の裏側と防火壁２により昇降路壁に取着し、昇降路壁の後方に防火壁１６とコ字形状の枠７、８で取着し、前方で直接昇降路壁に枠７、８を取着し、昇降路壁と右側の防火壁１４、１５でコ字形状の枠８を取着して四角形状の枠１１を構成して乗りかご３回りの不動部位を密閉封止させ、また、レール５の裏側で、つり合いおもり４では左側に取着したコ字形状の枠９を、当該防火壁１４、１５と取着、右側は昇降路壁に直接取着した枠１０を当該防火壁１４、１５と取着して四角形状の枠１２を構成して、つり合いおもり４回りの不動部位を密閉封止する。
左側を壁に取着した防火壁１３と防火壁６２及び防火壁２を介して四角形状の枠１１を取着を取着して、四角形状の枠１１、１２を取着し、枠１２の右側を壁に、そして防火壁１４、１５で壁に取着するようにして昇降路内の不動部位を完全に密閉封止構造にしたものである。
【０００６】
封止構造は図４において乗りかご3回りのロープ３４に四角形状の防火壁３２により対処するものと、昇降路内のガバナロープ３６に対して転倒する防火戸の先端でガバナロープに対応させるものである。
図６により詳しく説明すると、ロープ防火壁３２を囲んだ枠１７、１７の前後の四角形状の枠４６、４７の下端で取付ブラケット２５、２５を取着して、ロープ防火壁３２と四角形状の枠４６、４７を取付ブラケットで２５、２５で、乗りかご3に取着せしめ、乗りかご３と一対的移動動作する構成にしている。
したがって、不動部位の四角形状の枠１１上の起立状態の防火戸４０、４１、４２、４３と、乗りかご３のロープ防火壁３２と四角形状の枠４６、４７上の起立状態の防火戸３７、３７のレベルを合わせることにより、起立状態の防火戸４０、４１、４２、４３を、乗りかご３の枠４６、４７の左側の枠２２に、前後側の枠２１にと転倒閉鎖させ、当該防火戸３７、３７を四角形状の枠１１の右側の枠８上に転倒閉鎖させ、四角形状の枠１１と乗りかご３の枠４６、４７のあいだの隙間を防火戸で密閉封止することができる。
図８、図９、図１０、及び図１１は、従来から知られているロープ防火壁３２に関わり、乗りかご３とつり合いおもり４を懸架した据え付け工事中のロープ３４に組み付け出来るように構成し、三角形状の斜面にロープ用の半円穴３０を３箇所を対象に設けたロープソケット３５として２枚を組合わせるようにして、図８のようにロープ防火壁３２内にロープ３４をロープソケット３５で挟み込み組み付け、ロープ防火壁３２内にロープソケット３５でロープ３４を包含収納してロープ防火壁３２を介してロープ３４回りを密閉させることは従来から知られており、図１１の如くにロープ押え板２４により据付工事中に組立て出来るようになっているのは既に知られている。
ロープソケット３５の材質は温度耐性ゴム材、シリコン、金属ブラシ等軽量形金属合成の厚板ゴム材とする。
図１３、図１５から解るように、起立状態の防火戸３７、３８、３９、４０、４１、４２、４３の両端には回転軸２６、２６突設してあり、回転軸２６は枠１７、１７と枠７、８上に設けた軸受に軸支され、したがって、防火戸は、回転軸２６を軸として、起立状態の防火戸は、回転軸26を軸として図５の如く防火戸を閉鎖状態にする。
【０００７】
図１５において、乗りかご３のロープ防火壁３２は、レール５、５に対向させて四角形状のロープ防火壁３２に枠１７、１７を前後に固着させ、固着させた枠１７、１７に対して、前後に設けた６本の枠２２の先端に、乗りかご３の前後端にそれぞれ２本の横方向に枠２１、２１を設け、乗りかご３のロープ防火壁３２の枠１７、１７の前方に、当該四角形状の枠４６を設け、当該四角形状のロープ防火壁３２の枠１７の後方に枠４７を設け、前後の当該四角形状の枠４６、４７上の中央部に防火戸３８、３９を起立状態に設け、防火戸制御回路５５の動作で防火戸３８、３９の２枚の計４枚の防火戸で乗りかご３内の中央部を密閉封止せしめ、且つ、乗りかご３の右方の防火戸３７、３７は防火戸制御回路５５の動作で、昇降路の右側の不動部位に設けた四角形状の枠１１の右側の枠８へと転倒する２枚の防火戸３７、３７で不動部位と動作部位の隙間を密閉封止し、乗りかご３の左方においては、四角形状の枠１１の左側の枠７上に起立状態に載架させた防火戸４０、４１を、四角形状の枠１１の前方に起立状態に載架した防火戸４２と、四角形状の枠１１の後方に起立状態に載架した防火戸４３を、防火戸制御回路５５の動作で、当該防火戸４０、４１、４２、４３の転倒により乗りかご３と昇降路の不動部位の隙間を密閉封止させるものである。
図１２においては、枠１７、１７の２本に囲まれたロープ防火壁３２の乗りかごの左右に常時は起立状態に構成された、転倒レールガイド封止部材４５、４５を転倒すれば乗りかご３の両側端から、両レール５、５に突出するようにして、転倒レールガイド封止部材４５は起立状態に回転軸２６で回動自在に枢着されている。したがって、防火戸制御回路５５の動作で転倒する転倒レールガイド封止部材４５、４５でレールガイド４４、４４にある。
【０００８】
図４、図７、図１５のガバナロープについて説明すると、乗りかご３の中央からピッチＰで、２本が配置されたガバナロープ３６がピッチＰの位置に対して、防火戸４０でガバナロープ３６に対処したもので、防火戸４０の左端からピッチＰで、２本のガバナロープ３６の位置でロープ穴３１、３１を先端からピッチＰの位置に設けたロープ穴３１、３１へと、防火戸の先端からロープソケット２９で割り込み溝３１ａ、３１ａを割り込ませるように設けたから、防火戸４０の割り込み溝３１ａ、３１ａによりガバナロープ３６の２本は、転倒する防火戸４０先端からロープ穴３１、３１へと割り込ませて、ロープ穴３１、３１の位置で、当該ガバナロープ３６をロープ穴３１、３１で包含して、ガバナロープ３６回りの隙間を密閉封止し、ロープ３４回りの隙間を四角形状のロープ防火壁３２により密閉封止する。
防火戸４０の割り込み溝３１ａにはロープソケット３５で、ロープソケット３５の材質は金属ブラシ合成の厚板ゴム材とする。
図１９においては、起立状態の防火戸１８、１９の下方の左右両側に回転軸２６、２６が突設してあり、回転軸２６は、この回転軸に対称位置にある枠９、１０内に設けた軸受に軸支され、したがって、防火戸１８、１９は回転軸２６を軸として、図１９に示す位置から防火戸１８、１９を転倒させ、密閉封止する。つり合いおもり４の起立状態の防火戸１８、１９は、防火戸制御回路５５の動作により転倒閉鎖するようになっている。電磁石２８は枠９、１０に取付ブラケットにより取付けられている。
図２１から解るように防火戸３７、３８、３９、４０、４１、４２、４３の先端の中央部に施錠装置の一部の鍵部２７を突設してある。鍵部２７は防火戸を転倒閉鎖した時に、枠２２上に設けてある鍵受部３３と嵌合可能にし、防火戸３７、３７は、枠８、８の鍵受部３３と嵌合可能にしている。
【０００９】
図１７、図１８は、従来から知られている泡消火装置には、昇降路出入口に設けた泡放射ノズル５７とパイプシャワー式ノズル５８で、ドアー６０と、上方でポケットカバー６１と、下方の敷居とドア６０の隙間、及び両側端で三方枠とドア６０を、各階のドア出入口回りを泡を噴射により隙間を密閉封止させることは既に知られているものである。
図６、図１１は、従来知から知られているつり合いおもり４回りとレール６、６のレールガイド封止部材について閉鎖転倒した防火戸１８、１９先端の両側の凸面にしたレールガイド封止部材２０のレールガイド２３をレール６、６に面当てさせて両レール６、６回りを密閉封止させるものは既に知られている。
四角形状の枠１２の枠９、１０上の起立転倒式の防火戸１８、１９の転倒により不動部位の枠９、１０と、つり合いおもり４の動作部位の隙間を密閉封止させ、最下階のつり合いおもり４回りを完全に密閉封止にするものである。
【００１０】
火災が発生し、煙感知器４８が動作すると制御回路５０により乗りかご３を中間階に運転休止させるためにスイッチ５１にカム５２を当接させるものに、
本発明においては第２のスイッチ５４とカム５３の当接することにより、反転運転させたつり合いおもり４の運転休止すると、運転休止した乗りかご３回りの防火戸のレベルを合わせることにより、防火戸制御回路５５を動作させ、昇降路の不動部位の防火戸を乗りかご３の枠上に転倒させ、動作部位の乗りかご３枠上の防火戸を、昇降路の不動部位にある枠上に転倒させ、不動部位と動作部位の隙間を密閉封止し、つり合いおもり４回りの四角形状の枠１２上の左右の防火戸１８、１９を、四角形状の枠１２上に転倒させ不動部位と動作部位の隙間を密閉封止する。
本発明を図２０で説明すると、火災が発生し、煙感知器４８が動作すると、常開接点４８ａが閉じて、リレー４９が励磁し、常開接点４９ａが閉じて、制御回路５０が乗りかご３を中間階に運転休止するためにスイッチ５１にカム５２を当接させるものに、
本発明は、
電源（＋）                                                            電源（−）
┣常閉接点５１ａ━━━━━━━━┳━━常開接点４９ａ━━━━制御回路５０━━━┫
┃              ┏常開接点５４ｂ┛                                            ┃
┗常開接点５１ｂ┻常閉接点５４ａ┳━━━━防火戸制御回路５５  ━━━━━━━━┫
┗常開接点５５ａ━━━━━泡消火制御回路５６━┛
の回路で構成、乗りかご３を中間階に運転休止させるためにスイッチ５１とカム５２を当接させるものに、第２のスイッチ５４とカム５３を当接させることにより、常開接点５１ｂと常開接点５４ｂが閉じて、制御回路５０で乗りかご３を反転運転させ、スイッチ５４とカム５３の当接がはずれて、つり合いおもり４が運転休止し、この場合常閉接点５４ａは開くので防火戸制御回路５５は動作せず、運転休止した乗りかご３は回りの防火戸のレベルを合わせるようにし、常開接点５４ｂが開き、常閉接点５４ａが閉じて、常開接点５１ｂが閉じていて、したがって、防火戸制御回路５５の動作により、不動部位の枠上に起立した防火戸４０、４１、４２、４３及び、つり合いおもり４回りの防火戸１８，１９、それぞれの防火戸により、不動部位と動作部位の隙間を枠上に転倒する防火戸により密閉封止させて昇降路を完全に密閉封止したと検出すると、防火戸制御回路５５で、常開接点５５ａが閉じ、泡消火制御回路５６を動作させるように構成したものである。
【００１１】
【発明の効果】
本発明は、火災の発生による煙感知器が作動すると制御回路により乗りかごを中間階に運転休止するのにスイッチとカムを当接させるものにおいて、第２のスイッチとカムが当接することにより、反転休止させたつり合いおもりが運転休止すると、中間階の不動部位の四角形状の枠と、昇降路の動作部位の乗りかご内の上方の枠とのレベルを合わせて、乗りかごを運転休止させるもので、ここで、昇降路には、昇降路の乗りかごの左側と前後の不動部位に設けた四角形状の枠上に２枚の防火戸と、同じく前方と後方にも１枚づつ防火戸を起立状態に設け、動作部位の乗りかごの上方で右側に設けた枠上に２枚の防火戸を起立状態に設け、且つ、つり合いおもり回りの不動部位に設けた四角形状の枠上の左右に防火戸を起立状態に設けたから、防火戸制御回路が動作で、不動部位の防火戸は乗りかごの左側で２枚の防火戸を、前後で１枚づつの２枚の防火戸を、それぞれ乗りかご枠上に転倒させ、乗りかご枠上の前後の２枚づつの防火戸は乗りかご内の枠上に転倒し、反対の乗りかごの右側で枠上の２枚の防火戸を転倒させ右側を密閉し、ロープには乗りかごの上方でロープ防火壁でロープを包含し密閉封止し、２本のガバナロープには不動部位の枠上の右側で前方に設けた防火戸の転倒により、当該防火戸先端の割り込み溝でロープを割り込ませ２個のロープ穴に２本ガバナロープを包含させて、ガバナロープを回りを密閉封止し、乗りかごの上方の２本の枠で囲まれたロープ防火壁の左右に、両レールに突出するように起立状態に回転軸で回動自在に乗りかごの両側端に枢着された転倒レールガイド封止部材は、防火戸制御回路の動作で、乗りかごの両側端から突出し、転倒レールガイド封止部材の転倒で両レールに面当てさせ、転倒レールガイド封止部材で両レール回りを密閉封止して乗りかご回りを密閉封止し、つり合いおもり回りの不動部位に設けた四角形状の枠上の左右に２枚の防火戸を転倒させ密閉封止し、つり合いおもり回りを密閉封止するようにしたから、昇降路に流入した煙が上層階へ拡散を防止し、昇降路が煙突の作用を防ぎ、火災の延焼を防止し、昇降路の乗りかごとつり合いおもりの不動部位に設けた四角形状の枠上に起立状態の防火戸を設け、動作部位の乗りかご上に枠を設け、枠上に起立状態に防火戸を設け、不動部位と動作部位の隙間に乗りかごとつり合いおもりを上下動可能にし、昇降路を完全に密閉封止と検出すると防火戸制御回路で泡消火制御回路を動作させるようにしたから更に即効の火災の延焼を防止する効果は大である。
【００１２】
【図面の簡単な説明】
【図１】本発明の昇降路正面図である。
【図２】本発明の昇降路側面図である。
【図３】本発明の昇降路内不動部位と防火戸取付枠の構造図である。
【図４】本発明の昇降路内防火戸の開放状態の構造図である。
【図５】本発明の図１のA―A′断面視図の昇降路内の防火戸閉鎖状態の構造図である。
【図６】本発明の図４のＢ―Ｂ′断面視図の乗りかご、つり合いおもりの昇降路内防火戸の開放状態の詳細構造図である。
【図７】本発明のガバナロープ用の防火戸の詳細構造図である。
【図８】従来の乗りかごとロープ防火壁と枠の断面構造図である。
【図９】従来のロープ防火壁の説明図である。
【図１０】従来のロープソケットの詳細説明図である。
【図１１】従来のレールガイド封止部材のレールガイドの斜視図である。
【図１２】本発明の転倒レールガイド封止部材の起立状態を示す図である。
【図１３】本発明の枠上の防火戸の詳細構造図である。
【図１４】本発明の枠上の防火戸の詳細構造図である。
【図１５】本発明の防火戸と乗りかご回り枠と不動部位の枠の関連図である。
【図１６】本発明の転倒レールガイド封止部材の転倒状態を示す図である。
【図１７】従来の昇降路内の出入口に設けた泡消火装置である。
【図１８】従来の昇降路内の出入口に設けた泡消火装置である。
【図１９】本発明の枠上の防火戸である。
【図２０】本発明の昇降路煙密閉封止装置の電気回路図である。
【図２１】本発明の乗りかご周り枠と防火戸取り合い詳細説明図である。
【００１３】
【符号の説明】
１、１８、１９、３７、３８、３９、４０、４１、４１、４３      防火戸
２、１３、１４、１５、１６、６２                              防火壁
３      乗りかご                      ４      つり合いおもり
５      レール                        ６      レール
７、８、９、１０、１１、１２    防火戸取付枠
１７、２１、２２、４６、４７    防火戸取付枠
２０    レールガイド封止部材          ２３      レールガイド
２４    ロープ押さえ板                ２５      取付ブラケット
２６    回転軸                        ２７      鍵部
２９    厚板ゴム                      ３０      半円穴
３１    ロープ穴                      ３１ａ    割り込み溝
３２    ロープ防火壁                  ３３      鍵受部
３４    ロープ                        ３５      ロープソケット
３６    ガバナロープ                  ４４      レールガイド
４５    転倒レールガイド封止部材      ４８      煙感知器
４９    リレー                        ５０      制御回路
５１    スイッチ                      ５１ａ    常閉接点
５１ｂ  常開接点                      ５２      カム
５３    カム                          ５４      スイッチ
５４ａ  常閉接点                      ５５      防火戸制御回路
５５ａ  常開接点                      ５６      泡消火制御回路
５７    泡放射ノズル                  ５８      パイプシャワー式ノズル
６０    ドアー                        ６１      ドアーポケットカバー
【図１】
0004037720.tif 000002
【図２】
0004037720.tif 000003
【図３】
0004037720.tif 000004
【図４】
0004037720.tif 000005
【図５】
0004037720.tif 000006
【図６】
0004037720.tif 000007
【図７】
0004037720.tif 000008
【図８】
0004037720.tif 000009
【図９】
0004037720.tif 000010
【図１０】
0004037720.tif 000011
【図１１】
0004037720.tif 000012
【図１２】
0004037720.tif 000013
【図１３】
0004037720.tif 000014
【図１４】
0004037720.tif 000015
【図１５】
0004037720.tif 000016
【図１６】
0004037720.tif 000017
【図１７】
0004037720.tif 000018
【図１８】
0004037720.tif 000019
【図１９】
0004037720.tif 000020
【図２０】
0004037720.tif 000021
【図２１】
0004037720.tif 000022